(57)【要約】【課題】従来の電子装置では、電極部材はケーシング内に収納されており、このケーシングと係合してケーシングの内部を覆う蓋部材に、一方の電極を押すためのボタンが保持されている。そのため、蓋部材と回路基板との位置決めがずれると、一方の電極部材をボタンで正確に押すことができないという不具合が生じる。また、電極部材の配置を変更すると、蓋部材も合わせて変更する必要が生じる。【解決手段】２種類の電極部材を覆うと共に上記一方の電極部材を押すボタンを有するカバーを備え、カバーを回路基板に取り付けた状態で上記一方の電極部材を押さえて、一方の電極部材が半田付け前に傾かないようにする押さえ部をカバーの内側に形成した。【選択図】  図２
2015005336.tif 000002
【特許請求の範囲】
【請求項１】
回路基板上に漏電検知部を備え、漏電検知部に必要なスイッチを構成する２種の電極部材が基板に取り付けられ、いずれか一方の電極部材を押して他方の電極部材に向かって弾性変形させて両電極部材を接触させるようにした漏電検知機能を備えた電子装置において、上記２種類の電極部材を覆うと共に上記一方の電極部材を押すボタンを有するカバーを備え、カバーを回路基板に取り付けた状態で上記一方の電極部材を押さえて、一方の電極部材が半田付け前に傾かないようにする押さえ部をカバーの内側に形成したことを特徴とする漏電検知機能を備えた電子装置。
【請求項２】
上記他方の電極部材を２個並設し、一方の電極部材を１個で形成し、この一方の電極部材に他方の電極部材に各々対峙する弾性変形部を形成し、上記押さえ部は両弾性変形部に挟まれた位置を押さえることを特徴とする請求項１に記載の漏電検知機能を備えた電子装置。
【発明の詳細な説明】
【技術分野】
【０００１】
本発明は、回路基板上に漏電検知機能を備えた電子装置に関する。
【背景技術】
【０００２】
例えば機器を制御する場合、制御用の電子装置は、外部の商用電源から供給される１００ボルトの交流電力を必要な電圧に降圧する電源部と、この電源部から電力供給を受けて機器内の負荷の作動を制御する制御部と、機器内での漏電の有無を検知する漏電検知部とを備えている。
【０００３】
そして、これら電源部、制御部、及び漏電検知部を１枚の回路基板上に設けて１個のユニット化した電子装置が知られている（例えば、特許文献１参照）。
【０００４】
そのうちの漏電検知部には、テストスイッチやリセットスイッチが必要であるため、これらスイッチを構成する対となる電極部材を隙間を存して回路基板に立設した状態で半田付けし、一方の電極部材を押して弾性変形させ、他方の電極部材に接触させることによりスイッチをオン状態にするように構成されている。
【先行技術文献】
【特許文献】
【０００５】
【特許文献１】特開２００４−１９１００９号公報（段落００４３、図１１）
【発明の概要】
【発明が解決しようとする課題】
【０００６】
上記従来の電子装置では、電極部材はケーシング内に収納されており、このケーシングと係合してケーシングの開口全体を覆う蓋部材に、一方の電極を押すためのボタンが保持されている。そのため、蓋部材と回路基板との位置決めがずれると、一方の電極部材をボタンで正確に押すことができないという不具合が生じる。また、電極部材の配置を設計変更すると、蓋部材も合わせて変更する必要が生じる。
【０００７】
そこで本発明は、上記の問題点に鑑み、一方の電極部材と一方の電極部材を押すボタンとの位置決めが容易で、かつ電極部材のレイアウトの自由度が大きい漏電検知機能を備えた電子装置を提供することを課題とする。
【課題を解決するための手段】
【０００８】
上記課題を解決するために本発明による漏電検知機能を備えた電子装置は、回路基板上に漏電検知部を備え、漏電検知部に必要なスイッチを構成する２種の電極部材が基板に取り付けられ、いずれか一方の電極部材を押して他方の電極部材に向かって弾性変形させて両電極部材を接触させるようにした漏電検知機能を備えた電子装置において、上記２種類の電極部材を覆うと共に上記一方の電極部材を押すボタンを有するカバーを備え、カバーを回路基板に取り付けた状態で上記一方の電極部材を押さえて、一方の電極部材が半田付け前に傾かないようにする押さえ部をカバーの内側に形成したことを特徴とする。
【０００９】
電極部材を押すボタンを電極部材を覆うカバーに取り付けたので、電極部材とボタンとの位置決めがずれるおそれが無い。なお、電極部材を回路基板に取り付けただけでは電極部材は固定されておらず、傾くおそれがある。先に半田付けして固定した後でカバーを回路基板に取り付ければよいが、それでは回路基板に対する部品の組み付け工程で、電極部材を組み付けたあと、一旦組み付け作業を中断して半田付けを行い、再度組み付け工程に戻ってカバーを取り付けることになる。これに対して回路基板に電極部材を組み付けると共にカバーも組み付けると、カバーのボタンが電極部材を押して傾かせ、そのまま半田付けすれば電極部材が傾いたまま固定されてしまうおそれが生じる。
【００１０】
ところが、上記構成では、電極部材が固定される前にカバーが取り付けられても、カバーの押さえ部が電極部材を押さえて電極部材が傾かないようにし、その状態で半田付けにより電極部材を固定することができる。
【００１１】
なお、上記他方の電極部材を２個並設し、一方の電極部材を１個で形成し、この一方の電極部材に他方の電極部材に各々対峙する弾性変形部を形成し、上記押さえ部は両弾性変形部に挟まれた位置を押さえるようにすれば２個の接点を３個の電極部材で構成することができる。
【発明の効果】
【００１２】
以上の説明から明らかなように、本発明は、回路基板を収納するケーシングの蓋部材ではなく、回路基板に取り付けられ、電極部材を覆うカバーにボタンを設け、そのボタンと電極部材とでスイッチを構成するようにしたので、ボタンと電極部材との位置決めが容易で有り、かつスイッチのレイアウトの自由度を増すことができる。
【図面の簡単な説明】
【００１３】
【図１】本発明の一実施の形態の構成を示す図
【図２】スイッチ部材の分解斜視図
【図３】III-III断面図
【発明を実施するための形態】
【００１４】
図１を参照して、１は本発明による漏電検知機能を備えた電子装置の一例である。この電子装置１は回路基板１１をケーシング１２内に収納してポッティングしたものである。なお、この回路基板１１上には外部から供給される商用の交流電力を所定の電圧に降圧し、あるいは整流して図示しない各負荷に供給する電源部と、電源部から直流の作動電力の供給を受けて各負荷の作動を制御する制御部と、漏電検知部２とが設けられている。以降の説明の理解を容易にするため、本図では漏電検知部２のみを示し、他の電源部及び制御部は省略した。
【００１５】
この電子装置１は製造時には水平な状態で保持されているが、図示しない機器内に組み込まれる際には図示のように、垂直に立てた状態で取り付けられる。
【００１６】
漏電検知部２内にはテスト用及びリセット用のスイッチを備えたスイッチ部材３が設けられている。
【００１７】
図２を参照して、このスイッチ部材３は、全体を覆うカバー４と、カバー４内に取り付けられる１個の可動電極５と、２個の固定電極６とで構成されている。カバー４にはテスト用のスイッチの構成部品である押しボタン４１と、リセット用のスイッチの構成部品である押しボタン４１とが上下方向に可動状態で保持されている。そして、カバーの上面にはこれら２個の押しボタン４１を片方から覆う山型の庇部４２が設けられている。そして、カバー４の内側には後述する押さえ部４３が、カバー４と一体に成形されている。なお、このカバー４は一対の爪部４４によって回路基板１１に固定されるように構成されている。
【００１８】
可動電極５は一対の弾性変形可能な可動片（弾性変形部）５１を有しており、上記押しボタン４１を押し下げると、押しボタン４１によって可動片５１が下方に撓むように構成されている。この可動電極５には１対の把持部５２が設けられており、ローダーでこの把持部５２を把持して回路基板１１に実装する。両把持部５２の間には下方に曲げられた１対の固定爪５３が形成されており、両固定爪５３が回路基板１１に形成した取り付け穴１３に挿入されることによって可動電極５が回路基板１１に実装される。
【００１９】
他方、固定電極６は同じくローダーによって把持され、下部に形成された固定爪６１を回路基板１１に形成された取り付け穴に挿入されることにより実装される。
【００２０】
ただし、ローダーにより実装されたままの状態では、可動電極５及び固定電極６は取り付け穴に挿入されただけであるので、回路基板１１に強固に固定されているわけではない。このように実装された状態で可動電極５及び固定電極６を回路基板１１に対して半田付けすることにより、可動電極５及び固定電極６を回路基板１１に強固に固定することになるが、その半田付け工程前にカバー４を回路基板１１に取り付けることにより、半田付け後の工程を省略するようにした。
【００２１】
ただし、カバー４を回路基板１１に取り付けると上記押しボタン４１が可動片５１を押し下げ、強固に固定されていない可動電極５を傾けてしまうおそれが生じる。そこで、カバー４を回路基板１１に取り付けると、上記押さえ部４３で可動電極５を押さえて可動電極５が傾かないようにした。
【００２２】
図３を参照して、本図において、カバー４を回路基板１１に取り付けると、押しボタン４１が可動片５１を上方から押さえるので、可動電極５は左側に傾こうとする。ところが、カバー４の内側に形成した押さえ部４３が、右側に位置する把持部５２を上方から押さえ、この右側の把持部５２を回路基板１１に押接させるので、可動電極５は傾くこと無く保持される。その状態で固定爪５３を回路基板１１の下面に半田付けすると、可動電極５は傾かない状態で回路基板１１に対して固定されることになる。
【００２３】
なお、可動電極５を一対の固定電極６の双方に対して共用したので、２個の接点を３個の電極で構成することができる。
【００２４】
なお、本発明は上記した形態に限定されるものではなく、本発明の要旨を逸脱しない範囲内において種々の変更を加えてもかまわない。
【符号の説明】
【００２５】
１  電子装置
１１  回路基板
２  漏電検知部
３  スイッチ部材
４  ケース
４３  押さえ部
５  可動電極
５１  可動片
５２  把持部
５３  固定爪
６  固定電極
【図１】
2015005336.tif 000003
【図２】
2015005336.tif 000004
【図３】
2015005336.tif 000005